(57)【要約】【課題】  ＡＴＭの利用者を、ＡＴＭが設置された施設入口において本人認証処理して承認された者に限るようにして、ＡＴＭからの不正な預金引き出しを防止するキャッシュカードの不正利用防止方法およびＡＴＭを提供する。【解決手段】  接触方式と非接触方式とを兼ね備えたＩＣカードからなるキャッシュカードと、ＡＴＭが備えられた施設入口の近傍に備えられた非接触方式のＩＣカードリーダライタと、キャッシュカードを使用して取り引き処理を行うＡＴＭとを備え、ＩＣカードリーダライタは、前記本人認証処理で承認された場合に、キャッシュカードの記憶手段に対してゲート情報を書き込む手段を有し、ＡＴＭは、キャッシュカードに記憶されているゲート情報を読み取る手段と、その読み取ったゲート情報と予め登録されているゲート情報とを照合処理する手段と、照合一致した場合にキャッシュカードを利用した取り引き処理を可能な状態に制御する手段とを有する。【選択図】        図１
2007026138.tif 000002
【特許請求の範囲】
【請求項１】
ＡＴＭ（現金自動支払機）が設置された施設の入口に、本人認証処理で承認された場合にだけ前記施設内に入れる状態とする開閉ゲート装置が備えられ、前記承認がされない場合には、前記ＡＴＭの使用ができないようにした不正カードの利用防止システムであって、
接触方式と非接触方式とを兼ね備えたＩＣカードからなるキャッシュカードと、前記施設入口の近傍に備えられた非接触方式のＩＣカードリーダライタと、前記キャッシュカードを使用して取り引き処理を行うＡＴＭとを備え、
前記ＩＣカードリーダライタは、前記本人認証処理で承認された場合に、前記キャッシュカードの記憶手段に対してゲート情報を書き込む手段を有し、
前記ＡＴＭは、前記キャッシュカードに記憶されているゲート情報を読み取る手段と、その読み取ったゲート情報と予め登録されているゲート情報とを照合処理する手段と、前記照合処理の結果が一致した場合に、前記キャッシュカードを利用した取り引き処理を可能な状態に制御する手段とを有することを特徴とする不正カードの利用防止システム。
【請求項２】
接触方式と非接触方式とを兼ね備えたＩＣカードからなるキャッシュカードと、
前記キャッシュカードを使用して取り引き処理を行うＡＴＭ（現金自動支払機）と、
前記ＡＴＭが設置された施設入口のゲート開閉を制御するゲート管理装置と、
前記施設入口の近傍に備えられた非接触方式のＩＣカードリーダライタと、
前記ＡＴＭと、前記ＩＣカードリーダライタと、前記ゲート管理装置と通信可能に接続された管理サーバとからなり、
前記キャッシュカードは、予め識別情報が記憶された記憶手段を備え、
前記ＩＣカードリーダライタは、前記キャッシュカードに記憶されている識別情報を読み取る手段と、読み取った識別情報と、前記ゲートを特定可能なゲート情報とを管理サーバに送信する手段と、前記管理サーバから認証判定に関する承認情報を受信した場合に、前記キャッシュカードの記憶手段に対して前記ゲート情報を書き込む手段とを有し、
前記ＡＴＭは、前記キャッシュカードに記憶されている識別情報と、ゲート情報とを読み取る手段と、読み取った識別情報とゲート情報とを管理サーバに送信する手段と、前記管理サーバから取り引きを許可するか停止するかを示す情報を受信する手段とを有し、
前記管理サーバは、前記ＩＣカードリーダライタから受信した識別情報とゲート情報とを関係付けてデータベースに登録させる手段と、該識別情報に基づいて認証判定を行う認証判定手段と、前記認証判定手段による認証判定で承認された場合に、前記ゲート管理装置に対して、ゲートを開くことを指示する情報を送信する手段と、前記ＡＴＭから受信した識別情報及びゲート情報と、前記データベースに記憶されている識別情報及びゲート情報とを照合して、照合一致する情報があるか否かを判定する手段と、前記判定結果で照合一致する情報があると判定された場合に、前記ＡＴＭに対して前記キャッシュカードを使用した取り引きを許可する情報を送信する手段とを有することを特徴とする不正カードの利用防止システム。
【請求項３】
ＡＴＭ（現金自動支払機）が設置された施設に入る際にキャッシュカードに書き込まれたゲート情報を読み取る読取手段と、前記読取手段で読み取ったゲート情報が予め登録されているゲート情報と異なる場合に、前記キャッシュカードを使用した取り引きを行えない状態にする手段とを備えていることを特徴とするＡＴＭ。
【発明の詳細な説明】
【技術分野】
【０００１】
本発明は、第三者が不正に他人のキャッシュカードを使用してＡＴＭで預金の引き出しなどの取り引き処理を行なうことを防止する不正カードの利用防止システムおよびＡＴＭに関する。
【背景技術】
【０００２】
従来、他人のキャッシュカードを盗んで、ＡＴＭにより他人の口座から不正に預金が引き出されて盗み出されたり、他人のキャッシュカードの偽造カードが作製されて、ＡＴＭにより他人の口座から不正に預金が引き出されるという犯罪が多発して問題となっている。
通常、ＡＴＭは、誰でも使用できる場所に設置されているので、他人のキャッシュカードを盗んだ者や、偽造カードを作製した者であっても、自由にＡＴＭを使用して現金の引き出しを行うことができる。
【０００３】
近年、コスト削減や企業間競争の激化などから、ＡＴＭだけを設置した無人化店舗が出現したり、金融機関の施設以外のコンビニエンスストアなどにもＡＴＭが設置されるなど、従来に比べてＡＴＭの使用者に対する管理が手薄となり、犯罪者にとって犯罪行為を行いやすい環境にあるというセキュリティ上の問題がある。
【０００４】
従来公知技術としては、カード取引要求時のカード利用場所と、正当なカード利用者が所持する携帯電話などにより、カード利用の正当性を判定する技術がある。（例えば、特許文献１参照）
しかしながら、カード利用者が常に携帯電話を所持しているとは限らず、携帯電話を使用していない場合には、カードの利用の正当性を判定することができない。
また、多数のカード利用者の全てに対して、カード取引要求時毎に携帯電話による現在位置情報を取得することは、処理件数が膨大となり実現性が低いという問題がある。
【特許文献１】特開２００２−１４０６４６号公報
【発明の開示】
【発明が解決しようとする課題】
【０００５】
そこで、本発明は、ＡＴＭを使用することができる利用者を、ＡＴＭが設置された施設の入口において本人認証処理して承認された者に限るようにすることで、第三者が他人の口座から不正に預金を引き出すことができないようにして、ＡＴＭからの不正な預金引き出しを防止することができるキャッシュカードの不正利用防止方法およびＡＴＭを提供する。
【課題を解決するための手段】
【０００６】
本発明の不正カードの利用防止システムは、ＡＴＭ（現金自動支払機）が設置された施設の入口に、本人認証処理で承認された場合にだけ前記施設内に入れる状態とする開閉ゲート装置が備えられ、前記承認がされない場合には、前記ＡＴＭの使用ができないようにした不正カードの利用防止システムであって、接触方式と非接触方式とを兼ね備えたＩＣカードからなるキャッシュカードと、前記施設入口の近傍に備えられた非接触方式のＩＣカードリーダライタと、前記キャッシュカードを使用して取り引き処理を行うＡＴＭとを備え、前記ＩＣカードリーダライタは、前記本人認証処理で承認された場合に、前記キャッシュカードの記憶手段に対してゲート情報を書き込む手段を有し、前記ＡＴＭは、前記キャッシュカードに記憶されているゲート情報を読み取る手段と、その読み取ったゲート情報と予め登録されているゲート情報とを照合処理する手段と、前記照合処理の結果が一致した場合に、前記キャッシュカードを利用した取り引き処理を可能な状態に制御する手段とを有することを特徴とする。
【０００７】
また、本発明の不正カードの利用防止システムは、接触方式と非接触方式とを兼ね備えたＩＣカードからなるキャッシュカードと、前記キャッシュカードを使用して取り引き処理を行うＡＴＭ（現金自動支払機）と、前記ＡＴＭが設置された施設入口のゲート開閉を制御するゲート管理装置と、前記施設入口の近傍に備えられた非接触方式のＩＣカードリーダライタと、前記ＡＴＭと、前記ＩＣカードリーダライタと、前記ゲート管理装置と通信可能に接続された管理サーバとからなり、前記キャッシュカードは、予め識別情報が記憶された記憶手段を備え、前記ＩＣカードリーダライタは、前記キャッシュカードに記憶されている識別情報を読み取る手段と、読み取った識別情報と、前記ゲートを特定可能なゲート情報とを管理サーバに送信する手段と、前記管理サーバから認証判定に関する承認情報を受信した場合に、前記キャッシュカードの記憶手段に対して前記ゲート情報を書き込む手段とを有し、前記ＡＴＭは、前記キャッシュカードに記憶されている識別情報と、ゲート情報とを読み取る手段と、読み取った識別情報とゲート情報とを管理サーバに送信する手段と、前記管理サーバから取り引きを許可するか停止するかを示す情報を受信する手段とを有し、前記管理サーバは、前記ＩＣカードリーダライタから受信した識別情報とゲート情報とを関係付けてデータベースに登録させる手段と、該識別情報に基づいて認証判定を行う認証判定手段と、前記認証判定手段による認証判定で承認された場合に、前記ゲート管理装置に対して、ゲートを開くことを指示する情報を送信する手段と、前記ＡＴＭから受信した識別情報及びゲート情報と、前記データベースに記憶されている識別情報及びゲート情報とを照合して、照合一致する情報があるか否かを判定する手段と、前記判定結果で照合一致する情報があると判定された場合に、前記ＡＴＭに対して前記キャッシュカードを使用した取り引きを許可する情報を送信する手段とを有することを特徴とする。
【０００８】
更に、本発明のＡＴＭは、ＡＴＭ（現金自動支払機）が設置された施設に入る際にキャッシュカードに書き込まれたゲート情報を読み取る読取手段と、前記読取手段で読み取ったゲート情報が予め登録されているゲート情報と異なる場合に、前記キャッシュカードを使用した取り引きを行えない状態にする手段とを備えていることを特徴とする。
【発明の効果】
【０００９】
本発明の不正カードの利用防止システムは、本人認証処理で承認された場合に、ＩＣカードリーダライタでキャッシュカードの記憶手段にゲート情報を書き込み、更にＡＴＭは、キャッシュカードに記憶されているゲート情報が予め登録されているゲート情報と照合一致した場合にだけ、キャッシュカードを使用したＡＴＭでの取り引き処理が行えるようにしてあるので、ＡＴＭの使用可能な利用者を、ＡＴＭが設置された施設の入口での本人認証処理で承認された者に限ることができ、これにより、第三者が他人の口座から預金を不正に引き出すことができず、ＡＴＭからの不正な預金引き出しを防止することができるという効果がある。
【００１０】
また、本発明の不正カードの利用防止システムは、本人認証処理で承認された場合に、ＩＣカードリーダライタでキャッシュカードの記憶手段にゲート情報を書き込み、更にＡＴＭは、キャッシュカードに記憶されているゲート情報が予め登録されているゲート情報と照合一致した場合にだけ、キャッシュカードを利用した取り引き処理を可能な状態にするので、ＡＴＭを使用することができる利用者を、ＡＴＭが設置された施設の入口での本人認証処理で承認された者に限ることができ、これにより、第三者が他人の口座から預金を不正に引き出すことができないようにして、ＡＴＭからの不正な預金引き出しを防止することができるという効果がある。
【００１１】
また、本発明のＡＴＭは、ＡＴＭが設置された施設に入る際にキャッシュカードに書き込まれたゲート情報を読み取り、そのゲート情報が予め登録されているゲート情報と異なる場合に、キャッシュカードを使用した取り引きを行えない状態にするので、ＡＴＭを使用することができる利用者を、ＡＴＭが設置された施設の入口での本人認証処理で承認された者に限るようにすることができ、これにより、第三者が他人の口座から預金を不正に引き出すことができないようにして、ＡＴＭからの不正な預金引き出しを防止することができるという効果がある。
【発明を実施するための最良の形態】
【００１２】
以下、本発明の実施形態に係る不正カードの利用防止システムおよびＡＴＭについて、図面に基づいて詳細に説明する。
図１は、本発明の実施形態に係る不正カードの利用防止システムに関する構成の概要を説明する図、図２は、ＩＣカードからなるキャッシュカードの平面図、図３は、図２のＡ−Ａ線断面図、図４は、キャッシュカードに内蔵されている非接触ＩＣ媒体の平面図、図５は、他の構成を有するＩＣカードからなるキャッシュカードの平面図、図６は、本発明の実施形態に係る不正カードの利用防止システムのシステムブロック図、図７及び図８は、本発明の実施形態に係る不正カードの利用防止システムの処理手順を説明するフローチャート図である。
【００１３】
本発明の実施形態に係る不正カードの利用防止システムは、図１に示すように、接触方式と非接触方式とを兼ね備えたＩＣカードからなるキャッシュカード１と、そのキャッシュカード１を使用して取り引き処理を行うＡＴＭ（現金自動支払機）２と、ＡＴＭ２が設置された施設入口のゲート６の開閉を制御するゲート管理装置３と、その施設入口の近傍に備えられた非接触方式のＩＣカードリーダライタ４と、前記ＡＴＭ２と、前記ＩＣカードリーダライタ４と、前記ゲート管理装置３と通信可能に接続された管理サーバ５とからなる。
ＡＴＭ２が設置されている施設は、自動的に開閉する自動ドアなどのゲート６によって入室の管理がされ、このゲート６の開閉はゲート管理装置３によって制御されている。
尚、ＡＴＭ２が設置されている施設とは、部屋でもよいし、また部屋の一部を囲い込んだ場所など広い意味で管理された場所のことを言う。
【００１４】
接触方式と非接触方式とを兼ね備えたＩＣカードからなるキャッシュカード１は、既に知られている構成を有する複数種類のＩＣカードを用いることができる。
図２及び図３に示したキャッシュカード１は、ＩＣカードリーダライタにより情報の読み取りや書込みを行う際に接触方式で行うための接続端子部を有するＩＣモジュール９と、更に電波による通信を利用して情報の読み取りや書込みを非接触方式で行う機能を有する非接触ＩＣタグ８とが備えられている。
ＩＣモジュール９には、メモリやＣＰＵなどのＩＣチップを備えられている。
また、このメモリには、予めカードＩＤなどの識別情報が記憶され、本人認証処理の際に用いられる。
【００１５】
非接触ＩＣタグ８は、図３に示すように、カード基材に内蔵されている。
この非接触ＩＣタグ８は、例えば、非接触データキャリアやＲＦＩＤともいわれ、図４に示すように、プラスチック等の基材８１にコイルパターンからなる送受信手段８８が形成され、当該コイルと容量素子とにより共振回路を形成して一定周波数の電波を受信し送信することができるように構成されている。
また、他の方式として、リーダライタからの搬送波の電磁誘導により電力伝送及びデータ伝送を行うようにしてもよい。
一般的には、１３５ｋＨｚ（中波）、１３．５６ＭＨｚ、２．４５ＧＨｚ（マイクロ波）の周波数帯が使用される。
【００１６】
図示した例の場合、送受信手段であるコイルパターン８８は、導通部材８４により基材８１の裏面でジャンピング回路を形成してコイル接続端子８８ＣによりＩＣチップ８２の裏面のバンプに接続している。
ＩＣチップ８２には、制御手段であるＣＰＵと、記憶手段であるメモリが備えられている。
【００１７】
図示した例では、容量素子はＩＣチップ８２に内蔵されている。
このような非接触ＩＣタグ８は、樹脂基材にラミネートしたアルミ箔等の金属箔をフォトエッチングやレジスト印刷後のエッチングによりコイルパターンを形成し、ＩＣチップ８２を装着し、保護用の被覆を設けることにより形成することができる。
その大きさも３０ｍｍ×３０ｍｍ程度以下のサイズとすることができる。
【００１８】
非接触ＩＣタグ８に使用する樹脂基材８１としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１９】
これらの非接触ＩＣタグ８に記録した情報の読み取りや情報の書き込みは、ＩＣカードリーダライタ４から非接触ＩＣタグ８に対して共振する呼び出し信号を発信し、数ｃｍから数十ｃｍの距離で非接触ＩＣタグからの応答信号を読み、且つ非接触ＩＣタグ８のＩＣチップ８２の記憶手段であるメモリに記録された情報を読み取ったり、情報を書き込んだりすることができる。
また、ＩＣチップ８２の記憶手段であるメモリには、本人であることを認証するためのＩＤ情報などの識別情報が予め登録されている。
【００２０】
そして、ＩＣモジュール９の機能は、ＡＴＭ２を利用する際に用いられ、また非接触ＩＣ媒体８の機能は、利用者７がＡＴＭ２の設置されている施設の入口から入る時のＩＣカードリーダライタとの通信の際に用いられる。
また、キャッシュカード１の構成は上記の構成に限定されるものではなく、公知の接触方式と非接触方式とを兼ね備えたＩＣカードを用いることができるものである。
【００２１】
図５には、接触方式と非接触方式とを兼ね備えたＩＣカードからなる他の構成を有するキャッシュカード１ａが示されている。
キャッシュカード１ａは、アンテナコイル４０が内蔵されたカード基材４１と、カード基材４１の一部に形成された凹部に、埋設された接続端子部４２を備えたＩＣモジュール４３とを有している。
カード基材４１に形成された凹部に埋設されたＩＣモジュール４２の各々のアンテナコイル接続端子は、導伝ペーストによりアンテナコイル４０の端部とそれぞれ接続状態となっており、ＩＣモジュール４３に備えられているＩＣチップに対して、接続端子部を利用する接触方式と、アンテナコイル４０を利用する非接触方式との両方の接触方式を兼用してデータの読み取りや書込みを行えるように構成されている。
【００２２】
カード基材４１は、コアシートと、このコアシートの両面にそれぞれ積層されたオーバーシートとが、接着剤を介してまたは介さずに、プレス機により加圧加熱して一体化されている。
カード基材４１に形成されたアンテナコイル４０は、塩化ビニール、ポリエチレンテレフタレート（ＰＥＴ）等のコアシート上に、フォトエッチングや導電性インキ等によるスクリーン印刷により、ループを形成したアンテナコイル４０のレイアウトが描かれることで設けられている。
したがって、アンテナコイル４０は、カード基材４１に内蔵されカード表面に表れない。
【００２３】
上記の構成からなるキャッシュカード１ａは、同じＩＣチップのメモリに対して、接触方式と非接触方式との両方の接触方式を利用してデータの読み取りや書込みを行うことができるので、ＡＴＭ２が備えられた施設入口の近傍に備えられた非接触方式のＩＣカードリーダライタ４により、キャッシュカード１ａのＩＣメモリに対して非接触方式でゲート情報の書き込みを行い、更に、ＡＴＭ２のカード情報読取手段２２により、キャッシュカード１ａのＩＣメモリから接触方式でゲート情報の読み取りを行うことができるように構成されている。
上記のようにキャッシュカードは、公知の種々の構成からなるＩＣカードを用いることができるものである。
【００２４】
次に、図５に基づいて、本発明の実施形態に係る不正カードの利用防止システムのシステム構成について説明する。
まず、ＡＴＭ２が備えられた施設入口の近傍に備えられた非接触方式のＩＣカードリーダライタ４には、ゲート情報書込手段１０、送受信手段１１、カードＩＤ読取手段１２、記憶手段１３、ゲート情報送信手段１４、通信手段１５、カードＩＤ送信手段１６、制御手段１７などが備えられている。
記憶手段１３には、そのゲートを特定することができる固有のゲート情報が予め記憶されている。
【００２５】
カードＩＤ読取手段１２は、利用者７がキャッシュカード１をＩＣカードリーダライタ４に近づけることで、キャッシュカード１に記憶されているカードＩＤの読み取りを行う機能を有している。
カードＩＤ送信手段１６は、通信手段１５により通信回線１８を介してカードＩＤを管理サーバ５に送信する機能を有している。
また、ゲート情報書込手段１０は、管理サーバ５からカードＩＤに基づく認証処理で承認された場合に、管理サーバ５から送信された指示情報を受信して、キャッシュカード１にゲート情報を書込む機能を有している。
そして、ゲート情報送信手段１４は、キャッシュカード１に書き込んだゲート情報を管理サーバ５に送信する機能を有している。
【００２６】
次に、ゲート管理装置３には、ゲート開閉手段１９、制御手段２０、通信手段２１などが備えられている。
ゲート開閉手段１９は、通信手段２１により管理サーバ５からゲート６を開くことを指示する情報を受信した場合に、ゲート６を開いて、利用者７がＡＴＭ２の備えられている施設入口から中に入れるようにする。
【００２７】
次に、ＡＴＭ２には、カード情報読取手段２２、現金処理手段２３、入力手段２４、表示手段２５、記憶手段２６、通信手段２７、カード情報照合判定手段２８、処理停止手段２９、制御手段３０などが備えられている。
カード情報読取手段２２は、キャッシュカードの構成に対応して、接触方式または非接触方式、接触方式と非接触方式の両方の方式を利用可能に備えられている。
いずれにしても、カード情報読取手段２２により、キャッシュカードに記憶されたゲート情報を読み取れる機能を有している。
また、記憶手段２６には、予めゲート情報が記憶されている。
カード情報照合判定手段２８は、ＡＴＭ２の利用者７が所持するキャッシュカード１にゲート情報が記憶され、記憶されている場合には予め記憶手段２６に記憶されているゲート情報と照合して一致するか否かの判定を行う。
そして、この判定で照合不一致の場合には、処理停止手段２９が機能してキャッシュカード１を用いた金融取り引きが行えない状態に制御する。
【００２８】
次に、管理サーバ５には、認証判定手段３１、通信手段３２、ゲート情報登録手段３３、ゲート情報データベース３４、ゲート情報照合判定手段３５、ゲート開閉指示情報送信手段３６、取引判定情報送信手段３７、制御手段３８などが備えられている。
認証判定手段３１は、ＩＣカードリーダライタから受信したカードＩＤに基づいた本人認証処理を行う機能を有している。
ゲート情報登録手段３３は、ＩＣカードリーダライタから受信したゲート情報とカードＩＤとを関係付けてゲート情報データベース２４に登録する機能を有している。
ゲート情報照合手段３５は、ＩＣカードリーダライタから受信したカードＩＤ及びゲート情報を、ゲート情報データベース２４に登録されている情報と照合処理する機能を有している。
【００２９】
ゲート開閉指示情報送信手段３６は、ゲート情報照合手段３５の照合処理で照合一致した場合に、ゲート管理装置３に対してゲートを開くことを指示する情報を送信する機能を有している。
また、取引判定情報送信手段３７は、ゲート情報照合手段３５の照合処理で照合不一致した場合に、ＡＴＭ２に対して処理停止手段２９を機能させてキャッシュカード１を用いた金融取り引きが行えない状態に制御させる。
【００３０】
次に本発明の実施形態に係る不正カードの利用防止システムの処理手順を、図６のフローチャート図に基づいて説明する。
不正カードの利用防止システムの処理手順としては、２種類の処理手順があり、その１つは、利用者がキャッシュカード１を用いてＡＴＭ２を使用する場合に、ＡＴＭ２に記憶されたゲート情報を用いて照合処理を行う処理手順と、他の処理手順として、管理サーバ側に記憶されているゲート情報を用いて照合処理を行う処理手順とがある。
そして、上記２種類の処理手順を選択して利用することができる。
【００３１】
図６のフローチャート図は、その１つ目である、利用者がキャッシュカード１を用いてＡＴＭ２を使用する場合に、ＡＴＭ２に記憶されたゲート情報を用いて照合処理を行う処理手順を示してあり、最初にこの処理手順について説明する。
まず、利用者７が、キャッシュカード１を用いてＡＴＭ２で預金引き出しなどの取り引きを行う場合には、ＡＴＭ２が備えられた施設入口の近傍に備えられた非接触方式のＩＣカードリーダライタ４にキャッシュカード１を近づけて、キャッシュカード１に記憶されているカードＩＤを読み取らせる。（ステップ１）
ＩＣカードリーダライタ４から管理サーバ５にカードＩＤが送信される。（ステップ２）
管理サーバ５において、カードＩＤの認証判定処理が行なわれる。（ステップ３）
【００３２】
カードＩＤの認証判定処理で承認された場合には、管理サーバ５からＩＣカードリーダライタ４に対して、キャッシュカード１にゲート情報を書き込むことを指示する情報が送信される。（ステップ４）
そして、ＩＣカードリーダライタ４からキャッシュカード１に対してゲート情報の書き込みが行われる。（ステップ５）
更に、カードＩＤの認証判定処理で承認された場合には、管理サーバ５からゲート管理装置３に対して、ゲート６を開くことを指示する情報が送信される。（ステップ６）
これにより、利用者７は、開かれた入口から入室してＡＴＭ２の近くに行くことが可能になる。
【００３３】
次に、利用者７がＡＴＭ２のカード挿入口３９からキャッシュカード１を挿入してセットすると、キャッシュカード１に記憶されているゲート情報の読み取りが行われる。（ステップ７）
そして、ＡＴＭ２において、読み取ったゲート情報と、ＡＴＭ２の記憶手段２６に記憶されているゲート情報との照合処理が行われる。（ステップ８）
この照合処理で、照合不一致の場合にＡＴＭ２の処理を停止させる。（ステップ９）
また、この照合処理で、照合一致の場合にＡＴＭ２の処理が行える状態のまま維持させて、そのキャッシュカード１を利用した預金の引き出しなどの金融取り引きが行えるようにする。（ステップ１０）
上記の処理手順は、ＡＴＭ２の記憶手段２６に記憶されているゲート情報との照合処理を行なうことで、入口において正規の認証処理で承認された利用者だけがＡＴＭ２の利用を行えるようにしたものである。
【００３４】
次に、図７に基づいて、管理サーバ側に記憶されているゲート情報を用いて照合処理を行う処理手順について説明する。
まず、利用者７が、キャッシュカード１を用いてＡＴＭ２で預金引き出しなどの取り引きを行う場合には、ＡＴＭ２が備えられた施設入口の近傍に備えられた非接触方式のＩＣカードリーダライタ４にキャッシュカード１を近づけて、キャッシュカード１に記憶されているカードＩＤを読み取らせる。（ステップ１１）
ＩＣカードリーダライタ４から管理サーバ５にカードＩＤとゲート情報とが送信される。（ステップ１２）
管理サーバ５において、カードＩＤの認証判定処理が行なわれる。（ステップ１３）
【００３５】
カードＩＤの認証判定処理で承認された場合には、管理サーバ５からＩＣカードリーダライタ４に対して、キャッシュカード１にゲート情報を書き込むことを指示する情報が送信される。（ステップ１４）
そして、ＩＣカードリーダライタ４からキャッシュカード１に対してゲート情報の書き込みが行われる。（ステップ１５）
更に、カードＩＤの認証判定処理で承認された場合には、管理サーバ５からゲート管理装置３に対して、ゲート６を開くことを指示する情報が送信される。（ステップ１６）
これにより、利用者７は、開かれた入口から入室してＡＴＭ２の近くに行くことが可能になる。
【００３６】
管理サーバ５のゲート情報データベース３４にカードＩＤとゲート情報とを関係付けて登録させる。（ステップ１７）
次に、利用者７がＡＴＭ２のカード挿入口３９からキャッシュカード１を挿入してセットすると、キャッシュカード１に記憶されているカードＩＤ及びゲート情報の読み取りが行われる。（ステップ１８）
ＡＴＭ２から管理サーバ５に対して、カードＩＤ及びゲート情報が送信される。（ステップ１９）
管理サーバ５において、受信したカードＩＤ及びゲート情報と、ゲート情報データベース３４に登録されているカードＩＤ及びゲート情報とを照合処理する。（ステップ２０）
【００３７】
この照合処理で、照合不一致の場合には、管理サーバ５からＡＴＭ２に対して、ＡＴＭ２の処理を停止させることを指示する情報を送信する。（ステップ２１）
ＡＴＭ２は、管理サーバ５からＡＴＭ２の処理を停止させることを指示する情報を受信すると、キャッシュカード１を利用した処理が行えない状態に停止させる。（ステップ２２）
また、この照合処理で、照合一致の場合にＡＴＭ２の処理が行える状態のまま維持させて、そのキャッシュカード１を利用した預金の引き出しなどの金融取り引きが行えるようにする。（ステップ２３）
以上の処理により、ＡＴＭを使用することができる利用者を、ＡＴＭが設置された施設の入口において本人認証処理して承認された者に限るようにすることが可能となり、第三者が他人の口座から不正に預金を引き出すなどのＡＴＭからの不正な預金引き出しを防止できる。
【図面の簡単な説明】
【００３８】
【図１】本発明の実施形態に係る不正カードの利用防止システムに関する構成の概要を説明する図である。
【図２】ＩＣカードからなるキャッシュカードの平面図である。
【図３】図２のＡ−Ａ線断面図である。
【図４】キャッシュカードに内蔵されている非接触ＩＣ媒体の平面図である。
【図５】他の構成を有するＩＣカードからなるキャッシュカードの平面図である。
【図６】本発明の実施形態に係る不正カードの利用防止システムのシステムブロック図である。
【図７】本発明の実施形態に係る不正カードの利用防止システムの処理手順を説明するフローチャート図である。
【図８】本発明の実施形態に係る不正カードの利用防止システムの処理手順を説明するフローチャート図である。
【符号の説明】
【００３９】
１  キャッシュカード
２  ＡＴＭ（現金自動支払機）
３  ゲート管理装置
４  ＩＣカードリーダライタ
５  管理サーバ
６  ゲート
８  非接触ＩＣタグ
９  ＩＣモジュール
１０  ゲート情報書込手段
１１  送受信手段
１２  カードＩＤ読取手段
１３，２６  記憶手段
１４  ゲート情報送信手段
１５，２１，２７，３２  通信手段
１６  カードＩＤ送信手段
１７，２０，３０，３８  制御手段
１８  通信回線
２２  カード情報読取手段
２３  現金処理手段
２４  入力手段
２５  表示手段
２６  記憶手段
２７  通信手段
２８  カード情報照合判定手段
２９  処理停止手段
３１  認証判定手段
３２  通信手段
３３  ゲート情報登録手段
３４  ゲート情報データベース
３５  ゲート情報照合判定手段
３６  ゲート開閉指示情報送信手段
３７  取引判定情報送信手段
【図１】
2007026138.tif 000003
【図２】
2007026138.tif 000004
【図３】
2007026138.tif 000005
【図４】
2007026138.tif 000006
【図５】
2007026138.tif 000007
【図６】
2007026138.tif 000008
【図７】
2007026138.tif 000009
【図８】
2007026138.tif 000010